(57)【要約】【課題】反射型偏光板で反射された不要な光束を除去するとともに、発熱を抑制できるプロジェクターを提供すること。【解決手段】プロジェクターは、光を拡散する光拡散部材１１と、光拡散部材１１で拡散された光を吸収する光吸収部材１２と、液晶パネルの光束射出側に配設され、液晶パネルを介して射出された光束のうち、液晶パネルを介して射出された光束のうち、第１の偏光方向を有する直線偏光光のみを透過し、偏光方向が第１の偏光方向を有する直線偏光光に直交する第２の偏光方向を有する直線偏光光Ｌ１２を反射して光拡散部材１１に向けて射出する射出側偏光板４５３とを備える。【選択図】図５
2010224374.tif 000002
【特許請求の範囲】
【請求項１】
入射光束を画像情報に応じて変調する光変調装置と、前記光変調装置で変調された光束を投射する投射光学装置とを備えたプロジェクターであって、
光を拡散する光拡散部材と
前記光拡散部材で拡散された光を吸収する光吸収部材と、
前記光変調装置の光束射出側に配設され、前記光変調装置を介して射出された光束のうち、第１の偏光方向を有する直線偏光光のみを透過し、偏光方向が前記第１の偏光方向を有する直線偏光光に直交する第２の偏光方向を有する直線偏光光を反射して前記光拡散部材に向けて射出する射出側偏光板とを備える
ことを特徴とするプロジェクター。
【請求項２】
請求項１に記載のプロジェクターにおいて、
前記射出側偏光板は、複数設けられ、
前記光拡散部材は、平面視で前記各射出側偏光板を覆うように配設される
ことを特徴とするプロジェクター。
【請求項３】
請求項１または請求項２に記載のプロジェクターにおいて、
前記射出側偏光板は、
前記第２の偏光方向を有する直線偏光光を前記射出側偏光板に入射する光束に対して互いに離間する２方向へ射出するように構成され、
前記光吸収部材及び前記光拡散部材は、
前記第２の偏光方向を有する直線偏光光の射出する２方向に対して、平面視で前記射出側偏光板を覆うように配設されている
ことを特徴とするプロジェクター。
【請求項４】
入射光束を画像情報に応じて変調する光変調装置と、前記光変調装置で変調された前記光変調装置で変調された光束を投射する投射光学装置とを備えたプロジェクターであって、
光を拡散する光拡散部材と
前記光拡散部材で拡散された光を吸収する光吸収部材とを備え、
前記光変調装置は、
複数のマイクロミラーを有し、
前記入射光束を前記投射光学装置に向けて反射させるとともに、前記入射光束を前記投射光学装置とは外れた方向に向けて反射させて前記光拡散部材へ入射させる
ことを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調する光変調装置、及び各光変調装置により変調された光束を合成して画像光を形成する色合成光学装置を有する光学装置と、形成された画像光を拡大投射する投射レンズとを備えるプロジェクターが知られている。
このようなプロジェクターでは、光変調装置の光束入射側および光束射出側には、通常、入射光束のうち所定の直線偏光光を透過させ、他の光束を除去する偏光板が配置される（例えば、特許文献１参照）。
特許文献１に記載のプロジェクターでは、光変調装置の光束射出側に配置される射出側偏光板として、反射型の偏光板が用いられ、射出側偏光板の耐光性および耐熱性を向上させるとともに、射出側偏光板にて反射された不要な光束を光変調装置に入射させない構成としている。
【先行技術文献】
【特許文献】
【０００３】
【特許文献１】国際公開ＷＯ０１／５５７７８
【発明の概要】
【発明が解決しようとする課題】
【０００４】
しかしながら、特許文献１に記載のプロジェクターでは、射出側偏光板にて反射された不要な光束は、光変調装置を避ける方向に進行するが、プロジェクター内部の他の構成部材等に対して射出する。そのため、当該他の構成部材等に射出された不要な光束が熱に変換されて、他の構成部材等が発熱するという問題がある。
【０００５】
本発明の目的は、反射型偏光板で反射された不要な光束を除去するとともに、発熱を抑制できるプロジェクターを提供することにある。
【課題を解決するための手段】
【０００６】
本発明のプロジェクターは、入射光束を画像情報に応じて変調する光変調装置と、前記光変調装置で変調された光束を投射する投射光学装置とを備えたプロジェクターであって、光を拡散する光拡散部材と、前記光拡散部材で拡散された光を吸収する光吸収部材と、前記光変調装置の光束射出側に配設され、前記光変調装置を介して射出された光束のうち、第１の偏光方向を有する直線偏光光のみを透過し、偏光方向が前記第１の偏光方向を有する直線偏光光に直交する第２の偏光方向を有する直線偏光光を反射して前記光拡散部材に向けて射出する射出側偏光板とを備えることを特徴とする。
【０００７】
本発明では、射出側偏光板は、光変調装置から射出される光束のうち、第２の偏光方向を有する直線偏光光を反射させたのち、光拡散部材に向けて射出する。光拡散部材で拡散された当該第２の直線偏光光は、光吸収部材で吸収される。これによれば、第２の直線偏光光がプロジェクター内部の構成部材等に対して射出されても、光吸収部材で吸収されるため、内部の構成部材が発熱することを抑制できる。また、第２の直線偏光光が光吸収部材に入射する前に光拡散部材で拡散処理されるので、光吸収部材に局所的に入射することを防止でき、光吸収部材の局所的な温度上昇を抑制できる。
【０００８】
本発明のプロジェクターでは、前記射出側偏光板は、複数設けられ、前記光拡散部材は、平面視で前記各射出側偏光板を覆うように配設されることが好ましい。
本発明では、各射出側偏光板から第２の偏光方向を有する直線偏光光が光拡散部材に向けて射出され、光拡散部材は、平面視で各射出側偏光板を覆うように配設される。これによれば、光吸収部材は、複数の射出側偏光板から射出される第２の偏光方向を有する直線偏光光を吸収するので、複数の光拡散部材及び光吸収部材を配設する必要がなく、構造を簡素化できる。
【０００９】
本発明のプロジェクターでは、前記射出側偏光板は、前記第２の偏光方向を有する直線偏光光を前記射出側偏光板に入射する光束に対して互いに離間する２方向へ射出するように構成され、前記光吸収部材及び前記光拡散部材は、前記第２の偏光方向を有する直線偏光光の射出する２方向に対して、平面視で前記射出側偏光板を覆うように配設されていることが好ましい。
本発明では、第２の偏光方向を有する直線偏光光は、射出側偏光板に入射する光束に対して互いに離間する２方向へ射出されて、光吸収部材及び光拡散部材は、第２の偏光方向を有する直線偏光光の射出方向にそれぞれ配設される。これによれば、第２の偏光方向を有する直線偏光光は、２方向に射出されることで、第２の偏光方向を有する直線偏光光が入射する光拡散部材及び光吸収部材に発生する熱量を按分することができ、第２の偏光方向を有する直線偏光光が吸収される光吸収部材に発生する熱量が抑制される。
【００１０】
本発明のプロジェクターは、入射光束を画像情報に応じて変調する光変調装置と、前記光変調装置で変調された前記光変調装置で変調された光束を投射する投射光学装置とを備えたプロジェクターであって、光を拡散する光拡散部材と、前記光拡散部材で拡散された光を吸収する光吸収部材とを備え、前記光変調装置は、複数のマイクロミラーを有し、前記入射光束を前記投射光学装置に向けて反射させるとともに、前記入射光束を前記投射光学装置とは外れた方向に向けて反射させて前記光拡散部材へ入射させることを特徴とする。
【００１１】
ここで、光変調装置としては、ＤＭＤを採用できる。
本発明では、ＤＭＤを採用したプロジェクターにおいても、ＤＭＤで反射された光束のうち、投射光学装置とは外れた方向に向けて反射する光束（不要光）を光拡散部材で拡散して、光吸収部材で吸収できる。従って、本発明においても、上述したように、不要光が光吸収部材に入射する前に光拡散部材で拡散処理されるので、光吸収部材に局所的に入射することを防止でき、光吸収部材の局所的な温度上昇を抑制できる。
【図面の簡単な説明】
【００１２】
【図１】本発明の第１実施形態に係るプロジェクターの概略構成を模式的に示す図。
【図２】射出側偏光板の構成を模式的に示す斜視図。
【図３】前記射出側偏光板から射出される光束の光路を模式的に示す図。
【図４】図１の一部を拡大し、本実施形態の要部を示す模式図。
【図５】前記第１実施形態の要部を模式的に示す斜視図。
【図６】本発明の第２実施形態の要部を模式的に示す斜視図。
【図７】前記第２実施形態に係る射出側偏光板から射出される光束の光路を模式的に示す図。
【図８】本発明の第３実施形態に係るプロジェクターの概略構成を模式的に示す図。
【発明を実施するための形態】
【００１３】
［第１実施形態］
以下、本発明に係る第１実施形態を図面に基づいて説明する。
［プロジェクターの概略構成］
図１は、本実施形態に係るプロジェクター１の概略構成を模式的に示す図である。
プロジェクター１は、光源から射出される光束を画像情報に応じて変調して画像光を形成し、この画像光をスクリーン（図示略）上に拡大投射する。このプロジェクター１は、図１に示すように、略直方体状の外装筐体２と、投射光学装置としての投射レンズ３と、光学ユニット４等を備える。
なお、図１において、具体的な図示は省略したが、外装筐体２内において、投射レンズ３及び光学ユニット４以外の空間には、プロジェクター１内部の各構成部材を冷却する冷却ファン等を備えた冷却ユニット、プロジェクター１内部の各構成部材に電力を供給する電源ユニット、及びプロジェクター１内部の各構成部材を制御する制御装置等が配置されるものとする。
【００１４】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにねじ等で固定されている。なお、外装筐体２は、合成樹脂等に限らず、その他の材料にて形成してもよく、例えば、金属等により構成してもよい。
投射レンズ３は、複数のレンズを組み合わせた組レンズとして構成され、光学ユニット４にて形成された画像光をスクリーン上に拡大投射する。
【００１５】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、光源装置４１から射出された光束の照明光軸Ａが内部に設定された照明光軸Ａに対する所定位置に上述の各光学部品４１〜４５を収納する光学部品用筐体４６とを備える。
ここで、光学装置４５の底面側には、光拡散部材１１（図５）、光吸収部材１２（図５参照）が配設されている。なお、光拡散部材１１及び光吸収部材１２の構成の詳細については、後述する。
【００１６】
光源装置４１は、図１に示すように、光源４１１及びリフレクター４１２等を備える。
そして、光源装置４１は、光源４１１から射出された光束がリフレクター４１２によって射出方向が揃えられ、照明光学装置４２に向けて光束を射出する。
【００１７】
照明光学装置４２は、図１に示すように、第１レンズアレイ４２１、第２レンズアレイ４２２、偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する光変調装置としての３つの液晶パネル４５１上で重畳する。
【００１８】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の液晶パネル４５１Ｒまで導く機能を有する。
【００１９】
光学装置４５は、入射した光束を画像情報に応じて変調して画像光を形成する。この光学装置４５は、図１に示すように、３つの液晶パネル４５１（赤色光側の液晶パネルを４５１Ｒ、緑色光側の液晶パネルを４５１Ｇ、青色光側の液晶パネルを４５１Ｂとする）と、各液晶パネル４５１の光束入射側に配置される入射側偏光板４５２と、各液晶パネル４５１の光束射出側に配置される射出側偏光板４５３と、クロスダイクロイックプリズム４５４とを備える。
【００２０】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
また、入射側偏光板４５２の光束入射側には、１／２波長板４５２Ａ（図４参照）が配設されている。この１／２波長板４５２Ａは、入射した赤、青、緑色光の偏光方向を９０°回転させるものである。
なお、本実施形態では、入射側偏光板４５２は、吸収型偏光板で構成されているが、反射型偏光板で構成されてもよい。
【００２１】
３つの射出側偏光板４５３（赤色光側の射出側偏光板を４５３Ｒ、緑色光側の射出側偏光板を４５３Ｇ、青色光側の射出側偏光板を４５３Ｂとする）は、図示しない支持部材等を介してクロスダイクロイックプリズム４５４に取り付けられる。射出側偏光板４５３は、液晶パネル４５１を介して射出された光束のうち、照明光軸Ａに直交する偏光方向を有する第１の直線偏光光のみ透過する。ここで、本実施形態では、射出側偏光板４５３は、反射型偏光板で構成されている。
また、射出側偏光板４５３Ｇの光束射出側には、１／２波長板４５３Ａ（図４参照）が配設されている。この１／２波長板４５３Ａは、入射した緑色光の偏光方向を９０°回転させるものである。
なお、射出側偏光板４５３の構成の詳細については、後述する。
【００２２】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されて画像光が形成される。
【００２３】
［射出側偏光板の構成］
図２は、射出側偏光板４５３の構成を模式的に示す斜視図である。
射出側偏光板４５３は、図２に示すように、第１プリズム４５３１と、第１プリズム４５３１の光束射出側に配設され、第１プリズム４５３１と同一の形状および屈折率を有する第２プリズム４５３２と、偏光素子本体４５３３とを備える。
【００２４】
第１プリズム４５３１は、断面直角三角形状を有する三角柱プリズムで構成されている。そして、第１プリズム４５３１は、断面直角三角形状の斜辺を除く他の一辺に相当する端面（光入射面）４５３１Ａが光束入射側に位置し、照明光軸Ａに直交するように配設される。すなわち、第１プリズム４５３１は、断面直角三角形状の斜辺に相当する端面（射出側傾斜面）４５３１Ｂが光束射出側に位置し、照明光軸Ａに直交する平面（光入射面４５３１Ａ）に対して傾斜した状態で配設されることとなる。この第１プリズム４５３１において、射出側傾斜面４５３１Ｂには、反射防止膜４５３１Ｂ１が形成されている。
【００２５】
偏光素子本体４５３３は、第２プリズム４５３２における後述する入射側傾斜面４５３２Ｂに設けられ、第１の直線偏光光を透過し、偏光方向が第１の直線偏光光に直交する第２の偏光方向を有する直線偏光光を反射する反射型偏光子で構成されている。本実施形態では、偏光素子本体４５３３は、具体的な図示は省略したが、入射側傾斜面４５３２Ｂにアルミニウム等の微細な線状リブが多数平行に形成された構成を有している。そして、偏光素子本体４５３３は、線状リブが延出している方向に、垂直な偏光方向の直線偏光光（第１の直線偏光光）を透過し、平行な偏光方向の直線偏光光（第２の直線偏光光）を反射する。
【００２６】
第２プリズム４５３２は、断面直角三角形状の斜辺に相当する入射側傾斜面４５３２Ｂが光束入射側に位置し、射出側傾斜面４５３１Ｂに平行しつつ偏光素子本体４５３３が射出側傾斜面４５３１Ｂに対して所定間隔、離間した状態で配設される。すなわち、第２プリズム４５３２は、断面直角三角形状の斜辺を除く他の一辺に相当する端面（光射出面）４５３２Ａが光束射出側に位置し、照明光軸Ａに直交（光入射面４５３１Ａに平行）するように配設されることとなる。
【００２７】
図３は、射出側偏光板４５３から射出される光束の光路を模式的に示す図であり、具体的には、射出側偏光板４５３の縦断面図である。
そして、射出側偏光板４５３は、上述した構成により、液晶パネル４５１を介した光束Ｌ１を以下に示すように射出する。
光束Ｌ１は、図３に示すように、第１プリズム４５３１に導入され、偏光素子本体４５３３にて第１の直線偏光光Ｌ１１および第２の直線偏光光Ｌ１２に分離される。
第１の直線偏光光Ｌ１１は、偏光素子本体４５３３を透過し、第２プリズム４５３２を介して射出され、クロスダイクロイックプリズム４５４に導入される。この際、第１の直線偏光光Ｌ１１は、光束Ｌ１の進行方向と略同一方向に進行する。
一方、第２の直線偏光光Ｌ１２は、偏光素子本体４５３３にて光束入射側に反射され、光入射面４５３１Ａに入射する。そして、第２の直線偏光光Ｌ１２は、光入射面４５３１Ａにて全反射し、第１プリズム４５３１における光入射面４５３１Ａおよび射出側傾斜面４５３１Ｂに交差する偏光光射出面４５３１Ｃから射出される。すなわち、第２の直線偏光光Ｌ１２は、液晶パネル４５１を避ける方向（図３では、下方向）に射出される。なお、具体的な図示は省略したが、偏光光射出面４５３１Ｃには、第２の直線偏光光Ｌ１２の反射を防止するための反射防止膜が形成されている。
【００２８】
［光拡散部材及び光吸収部材の構成］
図４は、図１の一部を拡大した模式図であり、具体的には、射出側偏光板４５３から射出される光束の光路を示す図である。
図５は、本実施形態の要部を模式的に示す斜視図である。
光拡散部材１１及び光吸収部材１２は、図５に示すように、互いに略平行となるように、各射出側偏光板４５３の偏光光射出面４５３１Ｃから射出される第２の直線偏光光Ｌ１２の射出方向である光学装置４５の下方に配設されている。
光拡散部材１１は、図５に示すように、偏光光射出面４５３１Ｃから射出される第２の直線偏光光Ｌ１２を表面及び内部、またはこれらのいずれかで拡散させて照度を略均一化させて射出する部材である。光拡散部材１１としては、入射した第２の直線偏光光Ｌ１２の表面及び内部、またはこれらのいずれかで拡散可能とする部材であれば、いずれの部材でも採用でき、例えば、すりガラス等を採用できる。
光吸収部材１２は、光拡散部材１１の下方に配設され、外装筐体２の内面に配設される。本実施形態では、光吸収部材１２は、光拡散部材１１の表面積よりも大きめに形成されている。この光吸収部材１２としては、例えば、耐熱性を有する黒く塗られた板金等であり、光拡散部材１１から射出した光を吸収する部材である。
【００２９】
上述した第１実施形態のプロジェクター１によれば、以下の効果がある。
本実施形態によれば、射出側偏光板４５３は、液晶パネル４５１から射出される光束Ｌ１のうち、第２の直線偏光光Ｌ１２を光拡散部材１１に向けて反射させて、光拡散部材１１で拡散された当該第２の直線偏光光Ｌ１２は、光吸収部材１２で吸収される。これによれば、第２の直線偏光光Ｌ１２がプロジェクター１内部の構成部材等に対して射出されても、光吸収部材１２で吸収されるため、内部の構成部材が発熱することを抑制できる。また、第２の直線偏光光Ｌ１２が光吸収部材１２に入射する前に光拡散部材１１で拡散処理されるので、光吸収部材１２に局所的に入射することを防止でき、光吸収部材１２の局所的な温度上昇を抑制できる。
また、３枚の射出側偏光板４５３から第２の直線偏光光Ｌ１２が光拡散部材１１に向けて射出され、光拡散部材１１は、平面視で各射出側偏光板４５３を覆うように配設される。これによれば、光吸収部材１２は、複数の射出側偏光板４５３から射出される第２の直線偏光光Ｌ１２を吸収するので、複数の光拡散部材１１及び光吸収部材１２を配設する必要がなく、構造を簡素化できる。
【００３０】
［第２実施形態］
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、射出側偏光板４５３は、第１プリズム４５３１と、第１プリズム４５３１と同一の形状および屈折率を有する第２プリズム４５３２と、偏光素子本体４５３３とで構成されていたが、本実施形態での射出側偏光板４５３では、回折光学素子４５３４（ＤＯＥ：Diffractive Optical Element）を採用し、また、光学装置４５の上方及び下方には、光拡散部材１１及び光吸収部材１２がそれぞれ配設されている点で相違する。
【００３１】
図６は、本実施形態の要部を模式的に示す斜視図である。
図７は、本実施形態の射出側偏光板４５３から射出される光束の光路を模式的に示す図であり、具体的には、射出側偏光板４５３の縦断面図である。
光拡散部材１１及び光吸収部材１２は、図６に示すように、光学装置４５の上下に互いに略平行となるようにそれぞれ配設されている。すなわち、光拡散部材１１は、クロスダイクロイックプリズム４５４の上面及び下面に対向する位置に配設され、光吸収部材１２は、光拡散部材１１で拡散された光束の射出方向に配設されている。
本実施形態での射出側偏光板４５３は、図７に示すように、偏光素子本体４５３３と、回折光学素子４５３４とを備える。
回折光学素子４５３４は、図７に示すように、射出側偏光板４５３の光束入射側に配設されている。この回折光学素子４５３４は、例えば、石英、透明な合成樹脂等の材料で構成され、光射出側が凹凸構造を有している。
偏光変換本体４５３３は、回折光学素子４５３４の凹凸部分に形成されている。
【００３２】
射出側偏光板４５３は、上述した構成により、液晶パネル４５１を介した光束Ｌ２を以下に示すように射出する。
光束Ｌ２は、図７に示すように、偏光素子本体４５３３へ導入され、第１の直線偏光光Ｌ２１および第２の直線偏光光Ｌ２２に分離される。
第１の直線偏光光Ｌ２１は、図７に示すように、偏光素子本体４５３３を透過し、クロスダイクロイックプリズム４５４に導入される。この際、第１の直線偏光光Ｌ２１は、光束Ｌ２の進行方向と略同一方向に進行する。
一方、第２の直線偏光光Ｌ２２は、図７に示すように、回折光学素子４５３４の光出射面にて光束入射側に回折、反射され、回折光学素子４５３４の光入射面４５３４Ａに入射する。そして、第２の直線偏光光Ｌ２２は、光入射面４５３４Ａにて反射し、回折光学素子４５３４の光入射面４５３４Ａに交差する偏光光射出面４５３４Ｂから射出される。すなわち、第２の直線偏光光Ｌ２２は、液晶パネル４５１を避ける方向（図７では、上下方向）に射出される。
【００３３】
上述した第２実施形態のプロジェクター１によれば、上述した前記第１実施形態の効果の他に、以下の効果がある。
本実施形態によれば、第２の直線偏光光Ｌ２２は、射出側偏光板４５３に入射する光束Ｌ２に対して互いに離間する２方向へ射出されて、光吸収部材１１及び光拡散部材１２は、第２の直線偏光光Ｌ２２の射出方向にそれぞれ配設される。これによれば、第２の直線偏光光Ｌ２２は、２方向に射出されることで、第２の直線偏光光Ｌ２２が入射する光拡散部材１１及び光吸収部材１２に発生する熱量を按分することができ、第２の直線偏光光Ｌ２２が吸収される光吸収部材１２に発生する熱量が抑制される。
【００３４】
［第３実施形態］
次に、本発明の第３実施形態を図面に基づいて説明する。
以下の説明では、前記第１実施形態と同様の構造および同一部材には同一符号を付して、その詳細な説明は省略または簡略化する。
前記第１、２実施形態では、光変調装置として液晶パネル４５１を採用していたが、本実施形態では、光変調装置にＤＭＤを採用している点で相違する。
【００３５】
図８は、本実施形態に係るプロジェクター１を模式的に示す概略構成図である。
本実施形態のプロジェクター１は、光源装置４１と、照明光学装置４２と、リレー光学装置４４と、光変調装置としてのＤＭＤ２０と、投射レンズ３とで概略構成される。
照明光学装置４２は、ロッドインテグレータ４７と、カラーホイール４８とを備える。
【００３６】
ロッドインテグレータ４７は、断面略長方形の柱状であり、光源装置４１のリフレクター４１２によって集束された光束を内部で多重反射させる。
カラーホイール４８は、ロッドインテグレータ４７から射出される光束を赤、緑、青の波長領域の光束に変換する３つのカラーフィルタを備え、この３つのカラーフィルタを切り替えて時分割形式で異なる波長領域の光束を射出する。
【００３７】
リレー光学装置４４は、カラーホイール４８から射出された光束をＤＭＤ２０の画像形成領域まで導光する。このリレー光学装置４４は、第１リレーレンズ４４３と、反射ミラー４４２と、第２リレーレンズ４４５とを備えている。
第１リレーレンズ４４３は、カラーホイール４８の光射出側に配置され、カラーホイール４８から射出される光束を集束および発散させて光の透過幅を拡大する。
第２リレーレンズ４４５は、ＤＭＤ２０の光入射側に配置され、第１リレーレンズ４４３および反射ミラー４４２を介した発散光を集束させて平行光にさせる。
【００３８】
ＤＭＤ２０は、複数のマイクロミラーを備え、入射した光束の反射方向をマイクロミラーの傾きを変えることによって選択し、入射光束に画像情報に基づく２次元的な変調を与える。そして、入射光束は投射される画素に対応する変調光となる。
例えば、このＤＭＤ２０は、ＣＭＯＳウェハープロセスを基にマイクロマシン技術により半導体チップ上に多数の可動マイクロミラーを集積して構成される。そして、図７に示すように、ＤＭＤ２０に入射する光束のうち、投射方向（＋θ方向）に反射される光束は、投射レンズ３により画像光として投射され、−θ方向に反射される光束は、不要光として、光拡散部材１１にて拡散されて、光吸収部材１２により吸収される。
【００３９】
上述した第３実施形態のプロジェクター１によれば、以下の効果がある。
本実施形態によれば、ＤＭＤ２０を採用したプロジェクター１においても、ＤＭＤ２０で反射された光束のうち、投射レンズ３とは外れた方向に向けて反射する光束（不要光）を光拡散部材１１で拡散して、光吸収部材１２で吸収できる。従って、不要光が光吸収部材１１に入射する前に光拡散部材１２で拡散処理されるので、光吸収部材１１に局所的に入射することを防止でき、光吸収部材１２の局所的な温度上昇を抑制できる。
【００４０】
［実施形態の変形］
なお、本発明は前述の実施形態に限定されるものではなく、本発明の目的を達成できる範囲での変形、改良等は本発明に含まれるものである。
前記第１実施形態では、射出側偏光板４５３から射出される第２の直線偏光光Ｌ１２の射出方向は、下方向であったが、上方向に射出してもよい。この場合には、上方向に光拡散部材１１及び光吸収部材１２を配設すればよい。
前記第２実施形態では、回折光学素子４５３４が凹凸状に形成されていたが、この他の形状であってもよい。
【産業上の利用可能性】
【００４１】
本発明は、プレゼンテーションやホームシアターに用いられるプロジェクターに利用できる。
【符号の説明】
【００４２】
１…プロジェクター、３…投射レンズ（投射光学装置）、１１…光拡散部材、１２…光吸収部材、２０…ＤＭＤ（光変調装置）、４５１…液晶パネル（光変調装置）、４５３…射出側偏光板、Ｌ１１，Ｌ２１…第１の直線偏光光、Ｌ１２，Ｌ２２…第２の直線偏光光。
【図１】
2010224374.tif 000003
【図２】
2010224374.tif 000004
【図３】
2010224374.tif 000005
【図４】
2010224374.tif 000006
【図５】
2010224374.tif 000007
【図６】
2010224374.tif 000008
【図７】
2010224374.tif 000009
【図８】
2010224374.tif 000010